(57)【要約】      （修正有）【課題】型枠除去後にコンクリート壁に残存する凹穴の埋め作業を簡単に行える。【解決手段】両端に雄ねじ２１をもつ棒状のセパレータ２０と、セパレータ２０の両端の雄ねじ２１にねじ込まれたエンド部材１０とを備え、型枠３０を外すときに、エンド部材１０がコンクリート壁３１から抜き出される型枠保持具のエンド部材１０において、エンド部材１０が、セパレータ２１の両端に取付けられたコーン状の内側部１３と、ホームタイが装着される外側部１２と、内側部１３と外側部１２とよりも大きな外径を有しかつ両部の間に位置する板状の中間部１１とを一体に具備しており、中間部１１を型枠３０内面に接触させ、外側部にホームタイ４０を取付けてセパレータ２０に型枠３０を離間保持させ、型枠間にコンクリートを打設し、固化したら、セパレータ２０をコンクリート壁３１に残留させて、エンド部材１０をコンクリート壁３１から取外すように形成した。【選択図】図１
0003139062.tif 000002
【実用新案登録請求の範囲】
【請求項１】
両端に雄ねじをもつ棒状のセパレータと、セパレータの両端の雄ねじにねじ込まれたエンド部材とを備え、型枠を外すときに、エンド部材がコンクリート壁から抜き出される型枠保持具のエンド部材において、前記エンド部材が、セパレータの両端に取付けられたコーン状の内側部と、ホームタイが装着される外側部と、内側部と外側部とよりも大きな外径を有しかつ両部の間に位置する板状の中間部とを一体に具備しており、中間部を型枠内面に接触させ、外側部にホームタイを取付けてセパレータに型枠を離間保持させ、型枠間にコンクリートを打設し、固化したら、セパレータをコンクリート壁に残留させて、前記エンド部材をコンクリート壁から取外すように形成したことを特徴とする型枠保持具のエンド部材。
【請求項２】
内側部、中間部および外側部が一体に形成されたエンド部材は、金属からなる請求項１に記載の型枠保持具のエンド部材。
【請求項３】
中間部の外周面が、セパレータに向かってテーパー状に傾斜する斜面に形成されていると共に、内側部が、中間部との境界に当該中間部よりも小径の最大径部を有し、セパレータの取付け側に向かって次第に径が小さくなるコーン形に形成された請求項１又は２に記載の型枠保持具のエンド部材。
【請求項４】
外側部は、中間部との境界側にナットを形成した請求項１〜３のいずれかに記載の型枠保持具のエンド部材。
【考案の詳細な説明】
【技術分野】
【０００１】
本考案は、型枠保持具に係わり、さらに詳しくは、造成されるコンクリート壁に対する型枠の離間距離を維持する保持具に備えられたエンド部材に関する。
【背景技術】
【０００２】
従来から建物などのコンクリート建築物の建造において、躯体や壁体を打設コンクリートにより製造する場合、壁の厚さ方向に沿って型枠合板を対向配置する。対向するこれらの型枠の離間距離を一定に維持するために、両端にネジを有する鉄棒状のセパレータを、前記両端のネジに合成樹脂製のＰコーンと呼ばれる円錐台形状のエンド部材を装着した状態で、前記型枠合板の間に取付けている。
【０００３】
この型枠保持具は、型枠を外したあと、棒状のセパレータをコンクリート壁内部に残すが、当該セパレータ両端のエンド部材をコンクリート壁の外面から抜き出している。エンド部材を除去することで生じた凹穴は、モルタルなどで埋め、コンクリート壁の外面を円滑に仕上げている。
【０００４】
しかし、このような型枠保持具では、エンド部材を抜き出したあとの凹穴がかなり深いため、コンクリート壁の見映えに影響するほか、凹穴から腐食などを生じないように、かなりの手間をかけて埋めなければならない。また、Ｐコーンは、セパレータ両端のネジを螺合するナット部を金属で形成しているため、合成樹脂製の円錐台形状の本体と金属製のナット部が分離し易く、分離すると一方が散逸してしまい、部品として用をなさないことが屡々生じ問題となっている。
【考案の開示】
【考案が解決しようとする課題】
【０００５】
本考案は、上記のような現状に鑑み、エンド部材をコンクリート壁から抜き出す方式の型枠保持具のエンド部材において、型枠除去後にコンクリート壁に残存する凹穴の埋め作業を簡単に行える、改良された型枠保持具のエンド部材を提供することを、その課題とする。
【課題を解決するための手段】
【０００６】
上記課題を解決することを目的としてなされた本考案型枠保持具は、両端に雄ねじをもつ棒状のセパレータと、セパレータの両端の雄ねじにねじ込まれたエンド部材とを備え、型枠を外すときに、エンド部材がコンクリート壁から抜き出される型枠保持具のエンド部材において、前記エンド部材が、セパレータの両端に取付けられたコーン状の内側部と、ホームタイが装着される外側部と、内側部と外側部とよりも大きな外径を有しかつ両部の間に位置する板状の中間部とを一体に具備しており、中間部を型枠内面に接触させ、外側部にホームタイを取付けてセパレータに型枠を離間保持させ、型枠間にコンクリートを打設し、固化したら、セパレータをコンクリート壁に残留させて、前記エンド部材をコンクリート壁から取外すように形成したことを特徴とするものである。
【０００７】
本考案は、上記構成において、内側部、中間部および外側部が一体に形成されたエンド部材は、金属製であることが望ましい。
【０００８】
又、本考案は、上記構成において、中間部の外周面が、セパレータに向かってテーパー状に傾斜する斜面に形成されていると共に、内側部が、中間部との境界に当該中間部よりも小径の最大径部を有し、セパレータの取付け側に向かって次第に径が小さくなるコーン形に形成することができる。なお、外側部は、中間部との境界側にナットを形成することがある。
【考案の効果】
【０００９】
本考案型枠保持具は、両端に雄ねじをもつ棒状のセパレータと、セパレータの両端の雄ねじにねじ込まれたエンド部材とを備え、型枠を外すときに、エンド部材がコンクリート壁から抜き出される型枠保持具のエンド部材において、前記エンド部材が、セパレータの両端に取付けられたコーン状の内側部と、ホームタイが装着される外側部と、内側部と外側部とよりも大きな外径を有しかつ両部の間に位置する板状の中間部とを一体に具備しており、中間部を型枠内面に接触させ、外側部にホームタイを取付けてセパレータに型枠を離間保持させ、型枠間にコンクリートを打設し、固化したら、セパレータをコンクリート壁に残留させて、前記エンド部材をコンクリート壁から取外すように形成したので、従来のエンド部材をコンクリート壁から抜き出す型枠保持具よりも、エンド部材によって形成される凹穴の容積が小さくなり、型枠除去後にコンクリート壁に残存する凹穴の埋め作業を簡単に行うことができる。また、エンド部材が金属製の単一構造であるから、従来のＰコーンのように、合成樹脂製の本体と金属製のナット部が分離して外れてしまうことがない。
【考案を実施するための最良の形態】
【００１０】
以下、図を参照して、本考案型枠保持具の実施形態を説明する。添付図において、図１は本考案型枠保持具のエンド部材の一実施形態を示す正面図、図２は図１の左側面図、図３は図２の中央部縦断側面図、図４は本考案エンド部材を備えた型枠保持具の使用状態を示す説明図、図５は図１〜図３に示す型枠保持具の本考案エンド部材の抜去状態を従来のＰコーンとの比較して示す説明図である。
【００１１】
本考案エンド部材を備えた型枠保持具の一例を図４に示す。図４に示すように、エンド部材１０は、その内側部１３、中間部１１および外側部１２を一体に形成した金属からなる。ここで、外側部１２は中間部１１との境界側にナット１５が形成されていると共に、反対側にホームタイ４０を取付ける雄ねじ桿１６を備えている。中間部１１は、フランジ状態をなしその外周面１４がセパレータ２０に向かってテーパー状に傾斜する斜面に形成されている。そして、内側部１３が、中間部１１との境界側に中間部１１よりも小径の最大径部を有し、セパレータ２０の取付け側に向かって次第に径が小さくなるテーパ状のコーン形に形成されている。以下に各部について詳しく説明する。
【００１２】
エンド部材１０は、金属、例えばスチールの一体物から形成されており、図１〜図３に示すように、中間部１１、この中間部１１の片面側に配置された外側部１２、および中間部１１の反対面に配置された内側部１３を備える。
【００１３】
中間部１１は厚板円板状（又はフランジ状）のもので、その外周面１４は内側部１３に向かって傾斜する斜面となっている。
【００１４】
外側部１２はナット１５及びホームタイ取付け用雄ねじ桿１６を有する。ナット１５は外側部１２の中間部１１との境界側を六角ナット状に加工して形成されている。雄ねじ桿１６は、このナット１５の外側端面に一体に形成されている。
【００１５】
内側部１３は、その内面側から中間部１１に向かってセパレータ取付け用雌ねじ穴１７を設けてあり、中間部側の端部を中間部１１よりも小径の最大径部とし、セパレータ取付け用雌ねじ穴１７の入口側に向かって次第に径が小さくなるコーン状に加工して形成されている。
【００１６】
図４に示すようにエンド部材１０は、セパレータ２０と一緒に使用されて型枠保持具を形成する。セパレータ２０は表面にメッキを施した金属棒状のもので、その両端には雄ねじ２１が形成されている。
【００１７】
本考案エンド部材１０を有する型枠保持具は、図４に示すように、中間部１１の外面を合板などによって造られた型枠３０の内面に当接させて左右の型枠３０の間に配置し、外側部１２において、型枠３０の外面から突出するホームタイ取付け用雄ねじ桿１６にホームタイ４０をねじ込むことによって組み立てられる。
【００１８】
すなわち、セパレータ２０の両端に本考案エンド部材１０を配置し、セパレータ２０の片方の雄ねじ２１を、片方のエンド部材１０を構成する内側部１３にあるセパレータ取付け用雌ねじ穴１７にねじ込むと共に、セパレータ２０のもう片方の雄ねじ２１を、残余のエンド部材１０を構成する内側部１３のセパレータ取付け用雌ねじ穴１７にねじ込むことによって組立てられる。このときセパレータ２０の中間にある溝状の掴み部２１をレンチで掴み、セパレータ２０を回転することにより、能率良くセパレータ２０をエンド部材１０にねじ込むことができる。
【００１９】
また、セパレータ２０を長さの異なるものに取り替えることによって、造成するコンクリート壁３１の厚みに対し簡単かつ精密に型枠３０の間隔を設定することができる。
【００２０】
組み立てた型枠は、エンド部材１０の中間部１１が、広い面積で型枠３０の内面に接触するが、この中間部１１は金属の厚板からなり、その中央付近を内側部１３および外側部１２によって挟持された形の一体物として形成されているので、型枠３０の離間距離Ｄを強固に保つことができる。
【００２１】
コンクリートが型枠３０，３０の間に注入され、これを固化させることで、型枠３０，３０の離間距離Ｄに対応する厚みをもつコンクリート壁３１が形成される。
【００２２】
コンクリート壁３１が固化したら、ホームタイ４０を外側部１２のホームタイ取付け用雄ねじ桿１６から外し、型枠３０を引き出し、セパレータ２０をコンクリート壁３１の内部に残したまま、エンド部材１０のみをセパレータ２０から外す。エンド部材１０を外すとき、当該エンド部材１０を構成する中間部１１の外周面１４は、斜面となっており、内側部１３は、内部に向かって径が縮小するコーン形として形成されているので、エンド部材１０をコンクリート壁３１から容易に取り出すことができる。エンド部材１０の回転は、外側部１２のナット１５を利用することにより簡単に回転させることができる。
【００２３】
エンド部材１０をコンクリート壁３１から抜き出したとき、図５に示すように、コンクリート壁３１には、中間部１１の輪郭形状に対応した凹穴３２および内側部１３の輪郭形状に対応した凹穴３３が形成される。
【００２４】
この凹穴３２は、モルタルなどによって埋設され、コンクリート壁３１の側面に合わせてフラットにされる。このときに、本考案エンド部材１０は、その中間部１１が板状に形成され、内側部１３が中間部１１よりも小径であるため、これらによって形成される凹穴３２，３３が、従来の型枠保持具のエンド部材（Ｐコーン）によって形成される図５に二点鎖線で示す凹穴Ｈに比べて、容積が小さく、簡単にかつ確実に埋め込み作業を行うことができる。
【００２５】
又、必要に応じて、この凹穴３２におけるエンド部材１０に中間部１１に対応する領域（凹穴３２のみ）を、中間部１１と略同形状の円盤状部材を填め込み、コンクリート壁３１に接着などで固定して、より簡単にコンクリート壁３１の外面を仕上げるようにしてもよい。
【産業上の利用可能性】
【００２６】
本考案型枠保持具のエンド部材は、以上の通りであって内側部１３、中間部１１および外側部１２を一体のまま抜き出しあとの凹穴３２，３３の容積が、従来の型枠保持具のエンド部材に比べて小さいので、簡単に、かつ確実に埋め込み作業を行うことができる。
【００２７】
また、エンド部材は内側部１３、中間部１１および外側部１２を一体形成した金属製であるので、機械的強さが高く、半永久的に使用も不可能ではなく、しかも合成樹脂系の産業廃棄物が発生しないので、管理が簡単である。この点、従来のエンド部材は、合成樹脂製の本体と金属製のナット部の複合構造であるため、機械的強さに限度があり、使用しているうちに、本体とナット部が離脱しやすいため、使用不能のパーツ（部品）が発生し易く、使用不能品を、廃棄するにしても、合成樹脂製部分と金属部分を分割して処理しなければならないため面倒である。
【００２８】
さらに、中間部１１が板状をなし、その外周面１４がセパレータ２０に向かって傾斜する斜面に形成され、しかも内側部１３が中間部側にこれよりも小径の最大径を有し、セパレータ取付け用雌ねじ穴１７に向かって次第に径が小さくなるコーン形に形成されているので、容易にコンクリート壁３１から抜き出すことができる。また、コンクリート壁３１に残る凹穴３２，３３の容積が小さく、モルタルなどの埋めるための資材、それに埋め作業に伴う労務を少なくすることができる。
【００２９】
なお、以上説明した実施形態において、エンド部材１０は全体がスチールからなっているが、ステンレススチール、黄銅などの機械的強さの大きな他の材料を採用しても良い。又、中間部１１、外側部１２及び内側部１３を一体に形成してあるが、必要に応じて、一部又は全部を独立した部材によって構成して、ねじなどで互いに結合するようにしても良い。
【図面の簡単な説明】
【００３０】
【図１】本考案型枠保持具の一実施形態を示す正面図。
【図２】図１の左側面図。
【図３】図２の３−３線に沿う断面図。
【図４】図１〜図３に示す型枠保持具の使用状態を示す説明図。
【図５】図１〜図３に示す型枠保持具のエンド部材のコンクリート壁から抜出した状態を示す説明図。
【符号の説明】
【００３１】
１０      エンド部材
１１      中間部
１２      外側部
１３      内側部
１４      中間部の外周面
１５      ナット
１６      ホームタイ取付け用雄ねじ桿
１７      セパレータ取付け用雌ねじ穴
２０      セパレータ
２１      雄ネジ
２２      セパレータの掴み部
３０      型枠
Ｄ        型枠３０，３０の離間距離
３１      コンクリート壁
３２      凹穴
３３      凹穴
４０      ホームタイ
【図１】
0003139062.tif 000003
【図２】
0003139062.tif 000004
【図３】
0003139062.tif 000005
【図４】
0003139062.tif 000006
【図５】
0003139062.tif 000007